(57)【要約】【目的】作付け面積を大きくとれると共に、隣合う菜壇間の通路幅を広くとれ、しかも簡単容易に形成できる菜壇を提供すること。【解決手段】上下に貫通する棒挿通孔３を長さ方向に一定ピッチで設けた土留枠Ａ，Ｂを、地面Ｇ上に前後左右四辺の矩形状に配置して土留周枠Ｓを形成すると共に、各土留枠Ａ，Ｂの所要の棒挿通孔３に土留枠固定棒４を挿通し、その下方部を地中に貫入し、前記土留周枠Ｓ内に土Ｍを入れることによって形成される階段Ｋ。【選択図】　　　　図１
2004033067.tif 000002
【特許請求の範囲】
【請求項１】
上下に貫通する棒挿通孔を長さ方向に一定ピッチで設けた土留枠を、地面上に前後左右四辺の矩形状に配置して土留周枠を形成すると共に、各土留枠の所要の棒挿通孔に土留枠固定棒を挿通し、その下方部を地中に貫入し、前記土留周枠内に土を入れることによって形成される菜壇。
【請求項２】
各土留枠の所要の棒挿通孔には垂直部と水平部とからなる土留枠固定棒の垂直部を挿通し、この土留枠固定棒の水平部を地面上に載置してなる請求項１に記載の菜壇。
【請求項３】
土留周枠を形成する各辺の土留枠は、複数段に重ね合わされ、これら複数段の土留枠を上下に貫通する棒挿通孔に土留枠固定棒が挿通されるようになっている請求項１又は２に記載の菜壇。
【請求項４】
土留周枠を形成する四辺の土留枠は、上下両フランジの上下対向位置に棒挿通孔を長さ方向一定ピッチで設けたリップ付き第１チャンネル材と、第１チャンネル材と同じ構造で断面形状が小さく、第１チャンネル材にスライド自在に嵌合されて接続可能なリップ付き第２チャンネル材とを夫々所要数個ずつ使用して形成される請求項１〜３の何れかに記載の菜壇。
【請求項５】
前後各辺の土留枠と左右各辺の土留枠との直角連結部では、第１チャンネル材の端部のリップ部分を切除して、当該端部にこれと直交する第２チャンネル材の端部を嵌合すると共に、両チャンネル材端部のフランジ同士が重合する部分の棒挿通孔より連結棒を挿通することによって、両土留枠を直角に連結してなる請求項４に記載の菜壇。
【請求項６】
第１チャンネル材と第２チャンネル材とを接続して形成される土留枠では、第１チャンネル材と第２チャンネル材との嵌合部分にある棒挿通孔に土留枠固定棒を挿通することによって、第１チャンネル材と第２チャンネル材とを連結してなる請求項４に記載の菜壇。
【請求項７】
第１及び第２チャンネル材の各ウェブに多数の小孔が形成されている請求項４〜６の何れかに記載の菜壇。
【発明の詳細な説明】
【０００１】
【発明の属する技術分野】
本発明は、野菜や草花を植える菜壇に関するもので、庭や空き地あるいは建物の屋上などに形成される菜壇に関する。
【０００２】
【従来の技術及びその課題】
従来、庭や空き地に菜壇を造る場合には、その地面を掘り起こしたり、あるいは別の場所から土を運んでくるなどして、所要高さに土を盛り上げ、畝状としている。しかしながら、このようにして形成される菜壇では、盛土の周側部が雨で流れ落ちないように法面に形成されることから、所謂作付け面積が小さくなり、また複数の菜壇を並設する場合に、隣合う菜壇間に形成される通路が狭く、作業管理が困難となる。
【０００３】
本発明は、作付け面積を大きくとれると共に、隣合う菜壇間の通路幅を広くとれ、しかも簡単容易に形成できる菜壇を提供することを目的とする。
【０００４】
【課題を解決するための手段】
請求項１に係る発明の菜壇は、図１及び図２に示すように、上下に貫通する棒挿通孔３を長さ方向に一定ピッチで設けた土留枠Ａ，Ｂを、地面Ｇ上に前後左右四辺の矩形状に配置して土留周枠Ｓを形成すると共に、各土留枠Ａ，Ｂの所要の棒挿通孔３に土留枠固定棒４を挿通し、その下方部を地中に貫入し、前記土留周枠Ｓ内に土Ｍを入れることによって形成されることを特徴とする。
【０００５】
請求項２に係る発明の菜壇は、各土留枠Ａ，Ｂの所要の棒挿通孔３には垂直部７ａと水平部７ｂとからなる土留枠固定棒７の垂直部７ａを挿通し、この土留枠固定棒７の水平部７ｂを地面Ｇ上に載置してなることを特徴とする（図７〜図１１参照）。
【０００６】
請求項３は、請求項１又は２に記載の菜壇において、土留周枠Ｓを形成する各辺の土留枠Ａ，Ｂは、複数段に重ね合わされ、これら複数段の土留枠Ａ，Ｂを上下に貫通する棒挿通孔３に土留枠固定棒４，７が挿通されるようになっていることを特徴とする（図１３参照）。
【０００７】
請求項４は、請求項１〜３の何れかに記載の菜壇において、土留周枠Ｓを形成する四辺の土留枠Ａ，Ｂは、上下両フランジｆ，ｆの上下対向位置に棒挿通孔３を長さ方向一定ピッチで設けたリップｒ，ｒ付き第１チャンネル材１と、第１チャンネル材１と同じ構造で断面形状が小さく、第１チャンネル材１にスライド自在に嵌合されて接続可能なリップｒ，ｒ付き第２チャンネル材２とを夫々所要数個ずつ使用して形成されることを特徴とする（図２参照）。
【０００８】
請求項５は、請求項４に記載の菜壇において、前後各辺の土留枠Ａ，Ｂと左右各辺の土留枠Ａ，Ｂとの直角連結部では、第１チャンネル材１の端部のリップｒ部分を切除して、当該端部にこれと直交する第２チャンネル材２の端部を嵌合すると共に、両チャンネル材１，２端部のフランジｆ同士が重合する部分の棒挿通孔３より連結棒４を挿通することによって、両土留枠Ａ，Ｂを直角に連結してなることを特徴とする（図３参照）。
【０００９】
請求項６は、請求項４に記載の菜壇において、第１チャンネル材１と第２チャンネル材２とを接続して形成される土留枠Ａ，Ｂでは、第１チャンネル材１と第２チャンネル材２との嵌合部分にある棒挿通孔３に土留枠固定棒４，７を挿通することによって、第１チャンネル材１と第２チャンネル材２とを連結してなることを特徴とする（図２参照）。
【００１０】
請求項７は、請求項４〜６の何れかに記載の菜壇において、第１及び第２チャンネル材１，２の各ウェブｗに多数の小孔５が形成されていることを特徴とする（図３参照）。
【００１１】
【発明の実施の形態】
図１は本発明に係る菜壇Ｋの一実施形態を示す斜視図、図２は土を入れる前の土留周枠を示す斜視図である。この菜壇Ｋは、上下に貫通する棒挿通孔３を長さ方向に一定ピッチで設けた土留枠Ａ，Ｂを、地面Ｇ上に前後左右四辺の矩形状に配置して土留周枠Ｓを形成すると共に、各土留枠Ａ，Ｂの所要の棒挿通孔３に土留枠固定棒４を挿通し、この固定棒４の下方部を地中に貫入し、そして土留周枠Ｓ内に土Ｍを入れることによって形成されたもので、その土Ｍに野菜や草花が植えられる。
【００１２】
この実施形態の菜壇Ｋにおいて、土留周枠Ｓを形成する前後左右四辺の土留枠Ａ，Ｂのうちの前後各土留枠Ａは、１個のリップ付き第１チャンネル材１からなり、左右各土留枠Ｂは、１個のリップ付き第１チャンネル材１と２個のリップ付き第２チャンネル材２とを接続して形成されている。各チャンネル材１，２は、図３に詳細に示すように、ウェブｗと、上下のフランジｆ，ｆと、両フランジｆ，ｆから対向突出するリップｒ，ｒとからなるもので、上下両フランジｆ，ｆの上下対向位置に棒挿通孔３がチャンネル材長さ方向に一定ピッチで形成されており、そしてウェブｗにはその全域に亘って多数の小孔５が形成されている。尚、この第１チャンネル材１及び第２チャンネル材２は、鋼製のリップ付き溝型材であって、表面には錆止め塗装が施されている。
【００１３】
第１チャンネル材１と第２チャンネル材２とは全く同じ構造であるが、第２チャンネル材２の断面形状が第１チャンネル材１よりも若干小さく、しかして第２チャンネル材２は、第１チャンネル材１内に長さ方向スライド自在に嵌合されて第１チャンネル材１に対し接続可能となっている。また、図３に示すように、前後各土留枠Ａを形成する第１チャンネル材１の両端部は、左右各土留枠Ｂを形成する第２チャンネル材２の端部を嵌合させて接続するために、第２チャンネル材２のフランジｆの幅分だけ上下のリップｒ，ｒが切除されており、その切除部分を６で示す。
【００１４】
上記のような構造の第１チャンネル材１及び第２チャンネル材２を使用して、図２に示す土留周枠Ｓを形成するには、先ず、地面Ｇ上、２個の第１チャンネル材１，１を使用して前後の土留枠Ａ，Ａを形成し、そして両第１チャンネル材１，１の両端部間に、夫々２個の第２チャンネル材２，２とこれらに嵌合した１個の第１チャンネル材１とからなる左右の土留枠Ｂ，Ｂを介在させる。
【００１５】
前後各辺の土留枠Ａと左右各辺の土留枠Ｂとの直角連結部では、図３に示すように第１チャンネル材１の端部のリップｒ部分を切除して、当該端部にこれと直交する第２チャンネル材２の端部を嵌合すると共に、両チャンネル材１，２端部のフランジｆ，ｆ同士が重合する部分の棒挿通孔３，３より土留枠固定棒４（連結棒）を挿通し、この固定棒４の下方部を地中に貫入し、これによって土留枠Ａと土留枠Ｂとを直角に連結し、同時にこの直角連結部分を地面Ｇ上に固定する。この状態を図４の拡大断面図で示す。
【００１６】
前後各辺の土留枠Ａを形成する第１チャンネル材１の中間部では、フランジｆの棒挿通孔３に土留枠固定棒４を挿通すると共に、その下方部を地中に貫入し、これによって前後各辺の土留枠Ａの中間部を地面Ｇ上に固定する。また、左右各辺の土留枠Ｂは、図２から分かるように、第１チャンネル材１と第２チャンネル材２との嵌合連結部にあるフランジｆの棒挿通孔３に土留枠固定棒４を挿通すると共に、その下方部を地中に貫入し、これによって第１チャンネル材１と第２チャンネル材２と連結し、同時にその連結分を地面Ｇ上に固定する。この状態を図５に示す。また、土留枠Ｂを形成する第１チャンネル材１の中間部（更には第２チャンネル材２の中間部）も、そのフランジｆの棒挿通孔３より土留枠固定棒４を挿通して地中に貫入して、土留枠Ｂの中間部を地面Ｇ上に固定する。
【００１７】
上記のようにして前後左右四辺の土留枠Ａ，Ａ，Ｂ，Ｂで土留周枠Ｓを形成すると共に、この土留周枠Ｓを土留枠固定棒４によって地面Ｇの上に固定した後、この土留周枠Ｓ内に土Ｍを入れることによって、菜壇Ｋが形成される。こうして形成された菜壇Ｋに野菜や草花の種を蒔き、あるいはその苗を植え、灌水を施して育てている状態を示したものが図１である。
【００１８】
図１及び図２に例示した菜壇Ｋでは、土留周枠Ｓの前後各辺の土留枠Ａを１個の第１チャンネル材１により、また左右各辺の土留枠Ｂを１個の第１チャンネル材１と２個の第２チャンネル材２とによって夫々形成しているが、これは一例であって、第１チャンネル材１と第２チャンネル材２とを夫々任意個数使用することにより、前後各辺の土留枠Ａ及び左右各辺の土留枠Ｂを夫々任意の長さに設定できて、任意の大きさの菜壇Ｋを形成することができる。
【００１９】
また、菜壇Ｋは、上述のように土留周枠Ｓの前後左右各辺を形成する土留枠Ａ，Ｂにリップ付き第１チャンネル材１及びリップ付き第２チャンネル材２を使用しているから、土留枠Ａ，Ｂが軽量にして且つ十分な剛性を有するものとなり、従って施工現場への搬入が容易であると共に、土留周枠Ｓの組立作業が容易となり、また使用中に土圧によって変形するようなことがない。
【００２０】
また、第１チャンネル材１と第２チャンネル材２との連結に際しては、両チャンネル材１，２を互いに長手方向沿いに嵌合させて所要長さスライドさせた位置で、両チャンネル材１，２の嵌合連結部にあるフランジｆの棒挿通孔３に土留枠固定棒４（連結棒）を挿通するだけでよいから、その連結作業が極めて簡単容易となる。
【００２１】
この場合、両チャンネル材１，２の嵌合連結部のの棒挿通孔３に挿通させる棒材は、土留枠固定棒４に限るものではなく、土留枠固定棒４よりも短い、単なる連結のための連結棒を使用してもよい。しかし、土留枠固定棒４を使用すれば、その下方部を地中に貫入させるから、両チャンネル材１，２を連結するだけでなく、その連結部分を地面Ｇ上に固定させることができる。
【００２２】
また、各チャンネル材１，２のウェブｗにはその全域に亘って多数の小孔５が形成されているから、菜壇Ｋの使用においては、その小孔５により排水が良好となって根腐れを起こすようなことがない上に、その小孔５を通じて菜壇Ｋの土Ｍの中に外部から酸素が導入されて、野菜や草花の成長が著しく促進される。
【００２３】
図６は地面Ｇ上に複数の菜壇Ｋを並設した場合を示している。この図から分かるように、菜壇Ｋは、土留周枠Ｓの中に土Ｍを入れて形成されるものであって、周側部に法面が形成されないから、菜壇Ｋの外周側面が地面Ｇに対し垂直な垂直面を形成し、従って土留周枠Ｓで囲まれる範囲の全域が植付け可能な状態となって、作付け面積を大きくとることができる。また菜壇Ｋの外周側面が地面Ｇに対し垂直な垂直面を形成することから、隣合う菜壇Ｋ，Ｋ間に形成される通路Ｐの幅を十分に広くとることができ、菜壇Ｋの作業管理が容易となる。
【００２４】
上述した菜壇Ｋの実施形態では、土留枠固定棒４は、全体が直線状の棒体であるが、図７〜図１０は、土留枠Ａ，Ｂの棒挿通孔３に挿通される垂直部７ａと、この垂直部７ａの下端から直角を成して延設され、地面Ｇ上に載置される水平部７ｂと、からなる土留枠固定棒７を使用した菜壇Ｋの実施形態を示す。この土留枠固定棒７は、菜壇Ｋを形成する地面が硬くて地中への貫入が困難であったり、あるいは建物の屋上などのコンクリートのように棒体が貫入不能な地面上に菜壇を造成する場合に使用される。
【００２５】
先ず、図７に示す菜壇Ｋでは、土留周枠Ｓを形成するにあたり、土留枠Ａ又はＢを形成する第１チャンネル材１と第２チャンネル材２との嵌合連結部にある棒挿通孔３、あるいは第１チャンネル材１もしくは第２チャンネル材２の所要の棒挿通孔３に土留枠固定棒７の垂直部７ａを挿通し、その水平部７ｂを土留周枠Ｓ内の地面Ｇ上に載置するようにしたもので、この状態で土留周枠Ｓ内に土Ｍを入れることにより、その土Ｍの土圧で水平部７ｂが地面Ｇ上に固定され、しかしてこの土留枠固定棒７により土留枠Ａ，Ｂが固定される。この土留枠固定棒７は、夫々所定長さにカットした鉄筋材からなる垂直部７ａと水平部７ｂとを溶接して接合することにより形成される。
【００２６】
図８は、図７に示す土留枠固定棒７と同様であるが、この実施形態は、前後に対向する土留枠Ａ，Ａ又は左右に対向する土留枠Ｂ，Ｂ間において、その前後両側又は左右両側に対称状に位置する両側一対の土留枠固定棒７，７の水平部７ｂ，７ｂ同士を連結パイプ８でつなぐ場合を示している。このように両側一対の土留枠固定棒７，７の水平部７ｂ，７ｂ同士を連結パイプ８でつなぐことにより、水平部７ｂを地面Ｇ上に強固に固定できて、土留枠Ａ，Ｂをより確実に固定できる。
【００２７】
図９は、図８の使用例と同じように、前後に対向する土留枠Ａ，Ａ又は左右に対向する土留枠Ｂ，Ｂ間に使用する土留枠固定棒７であるが、この実施形態は、水平部７ｂを予め所定の長さに長く設定し、この水平部７ｂの両端部に夫々垂直部７ａを溶接で垂設して、コ字状の土留枠固定棒７としてもので、このコ字状土留枠固定棒７を図１２に示す。この土留枠固定棒７も、夫々所定長さに切断した鉄筋材からなる垂直部７ａと水平部７ｂとを溶接によって接合することにより形成れる。
【００２８】
図１０は、図９に示すコ字状の土留枠固定棒７を使用して土留周枠Ｓの土留枠Ａ，Ｂを固定してなる菜壇Ｋを地面Ｇ上に複数並設した状態を示す。また、図１１も図１０と同じように複数の菜壇Ｋを複数並設したものであるが、ここでは、隣合う２つの菜壇Ｋ，Ｋ間において対向する土留枠Ａ，Ａ又はＢ，Ｂ間に前記コ字状の土留枠固定棒７を使用し、各菜壇Ｋの反対側の土留枠Ａ又はＢには、直線状の棒体からなる土留枠固定棒４を使用した実施形態を示す。
【００２９】
これまで説明した菜壇Ｋは、土留周枠Ｓを形成する左右前後各辺の土留枠Ａ，Ｂが一段で形成されたものであるが、本発明に係る菜壇Ｋでは、各辺の土留枠Ａ，Ｂを２段以上の複数段に重ね合わせて形成することもできる。図１３は、土留周枠Ｓを形成する左右前後各辺の土留枠Ａ，Ｂが、上下２段に重ね合わされて、この上下２段の土留枠Ａ，Ｂを上下に貫通する棒挿通孔３に土留枠固定棒４が挿通された状態を示す。このように土留枠Ａ，Ｂを複数段に重ね合わせて土留周枠Ｓを形成することによって、例えば大根やゴボウなどのように根や茎の長い野菜の植えつけに好適な菜壇Ｋを簡単容易に造成することができる。
【００３０】
この場合、全体が直線状の土留枠固定棒４に代えて、あるいは土留枠固定棒４と併用して、図７〜図１１に示すような垂直部７ａと水平部７ｂとからなる土留枠固定棒７を使用することができる。
【００３１】
【発明の効果】
請求項１に係る発明の菜壇は、棒挿通孔を長さ方向に一定ピッチで設けた土留枠を、地面上に前後左右四辺の矩形状に配置して土留周枠を形成すると共に、各土留枠の所要の棒挿通孔に土留枠固定棒を挿通してその下方部を地中に貫入し、土留周枠内に土を入れることによって簡単容易に形成できる菜壇であって、従来の菜壇のように周側部に法面が形成されないから、菜壇の外周側面が地面に対し垂直な垂直面を形成し、従って土留周枠で囲まれる範囲の全域が植付け可能と状態となって、作付け面積を大きくとることができと共に、複数の菜壇を並設する場合に隣合う菜壇間に形成される通路の幅を十分に広くとることができて、菜壇の作業管理が容易となる。
【００３２】
特に、この菜壇では、前後左右各辺の土留枠の所要の棒挿通孔に土留枠固定棒を挿通してその下方部を地中に貫入することにより、土圧による各土留枠の倒れを阻止して、各土留枠を地面上に確実に固定することができる。
【００３３】
請求項２に係る発明のように、各土留枠の所要の棒挿通孔に、垂直部と水平部とからなる土留枠固定棒の垂直部を挿通し、この土留枠固定棒の水平部を地面上に載置すれば、菜壇を形成する地面が硬くて、地中への土留枠固定棒の貫入が困難であったり、あるいは建物の屋上などのコンクリート地面で土留枠固定棒の貫入が不可能な場合に、有効である。
【００３４】
請求項３に係る発明のように、土留枠を複数段に重ね合わせるようにすれば、根や茎の長い野菜などを植えつけるの好適な畝高さの高い菜壇を簡単容易に形成することができる。
【００３５】
請求項４に係る発明のように、上下両フランジの上下対向位置に棒挿通孔を長さ方向一定ピッチで設けたリップ付き第１チャンネル材と、第１チャンネル材と同じ構造で断面形状が小さく、第１チャンネル材にスライド自在に嵌合されて接続可能なリップ付き第２チャンネル材とを夫々所要数個ずつ使用して、土留周枠形成するようにすれば、前後各辺の土留枠及び左右各辺の土留枠を夫々任意の長さに設定できて、任意の大きさの菜壇を簡単容易に形成することができる。
【００３６】
また、上記のようなリップ付きチャンネル材を使用することにより、土留枠が軽量にして且つ十分な剛性を有するものとなり、従って施工現場への搬入が容易で且つ土留周枠の組立作業が容易となり、また使用中に土圧によって変形するようなことがない。
【００３７】
請求項５に係る発明のように、前後各辺の土留枠と左右各辺の土留枠との連結部では、第１チャンネル材の端部のリップ部分を切除して、当該端部にこれと直交する第２チャンネル材の端部を嵌合すると共に、両チャンネル材端部のフランジ同士が重合する部分の棒挿通孔より連結棒を挿通することによって、直交する両土留枠を体裁良く的確に且つ簡単に連結することができる。
【００３８】
請求項６に係る発明のように、第１チャンネル材と第２チャンネル材とを接続して形成される土留枠では、第１チャンネル材と第２チャンネル材との嵌合部分にある棒挿通孔に土留枠固定棒を挿通することによって、両チャンネル材を簡単容易に連結固定することができる。
【００３９】
請求項７に係る発明のように、第１及び第２チャンネル材の各ウェブに多数の小孔を形成しておけば、菜壇の使用時に、その小孔により排水が良好となって根腐れを起こすようなことがない上に、その小孔を通じて菜壇の土の中に外部から酸素が導入されて、野菜や草花が成長を著しく促進される。
【図面の簡単な説明】
【図１】本発明に係る菜壇の一実施形態を示す斜視図である。
【図２】土を入れる前の菜壇の土留周枠を示す斜視図である。
【図３】前後各辺の土留枠と左右各辺の土留枠とを直角に連結する状態を示す斜視図である。
【図４】土留枠の直角連結部を示す断面図である。
【図５】菜壇の横断面図である。
【図６】複数の菜壇を並設した状態の横断面図である。
【図７】菜壇の横断面図で、垂直部と水平部とからなる土留枠固定棒を示している。
【図８】菜壇の横断面図で、両側一対の土留枠固定棒の水平部同士を連結パイプでつなぐ場合を示している。
【図９】菜壇の横断面図で、コ字状の土留枠固定棒を使用する場合を示している。
【図１０】コ字状の土留枠固定棒を使用した菜壇を複数並設した場合の横断面図である。
【図１１】菜壇を複数並設する場合に、直線状の土留枠固定棒とコ字状の土留枠固定棒とを併用した状態を示す横断面図である。
【図１２】コ字状の土留枠固定棒を示す斜視図である。
【図１３】土留枠を２段に重ね合わせて形成される土留周枠の一部を示す断面図である。
【符号の説明】
Ｋ　　　　　　菜壇
Ｓ　　　　　　菜壇の土留周枠
Ａ，Ｂ　　　　土留枠
Ｇ　　　　　　地面
１　　　　　　第１チャンネル材
２　　　　　　第２チャンネル材
ｗ　　　　　　チャンネル材のウェブ
ｆ　　　　　　チャンネル材のフランジ
ｒ　　　　　　チャンネル材のリップ
３　　　　　　棒挿通孔
４　　　　　　全体が直線状の土留枠固定棒
５　　　　　　小孔
６　　　　　　リップ切除分
７　　　　　　垂直部と水平部とからなる土留枠固定棒
７ａ　　　　　土留枠固定棒の垂直部
７ｂ　　　　　土留枠固定棒の水平部
【図１】
2004033067.tif 000003
【図２】
2004033067.tif 000004
【図３】
2004033067.tif 000005
【図４】
2004033067.tif 000006
【図５】
2004033067.tif 000007
【図６】
2004033067.tif 000008
【図７】
2004033067.tif 000009
【図８】
2004033067.tif 000010
【図９】
2004033067.tif 000011
【図１０】
2004033067.tif 000012
【図１１】
2004033067.tif 000013
【図１２】
2004033067.tif 000014
【図１３】
2004033067.tif 000015